(57)【要約】　　【課題】　一連の作業工程を全体的に効率化することのできる畳の敷設方法を提供する。　　【解決手段】　若干大きめに規格化して作った畳１のうち４枚を部屋Ｒの一隅から敷き込む。次に、残る領域Ａ１〜Ａ４に関して、領域Ａ１については、畳１の長さ寸法を調節した後にこれを敷く。領域Ａ２については、畳１の幅寸法を調整した後にこれを敷く。領域Ａ３については、畳１の幅寸法を調整した後にこれを敷く。領域Ａ４については、畳１の幅及び長さ寸法を調整した後にこれを敷く。　　【選択図】　図３
2004003363.tif 000002
【特許請求の範囲】
【請求項１】
部屋の大きさから割り出した畳の大きさよりも若干大きめに規格化した畳を準備する工程と、
　該規格化した畳を現場に持ち込む工程と、
　持ち込んだ畳を順次敷き込む工程と、
　畳を敷設しようとしたときに、この畳を敷設しようとする領域に入り切らない畳を切断して該領域に適合する大きさに調整する工程と、
　この大きさ調整した畳を敷き込む工程とを有することを特徴とする畳の敷設方法。
【請求項２】
部屋の大きさから割り出した畳の大きさよりも若干大きめに規格化した畳を準備する工程と、
　該規格化した畳を現場に持ち込む工程と、
　畳を敷設する部屋を採寸する工程と、
　採寸したデータに基づき、現場に敷設する複数枚の畳のうち、その一部の畳を切断して大きさを調整することにより現場に敷設する全ての畳の敷設面積を前記採寸したデータに適合させる工程とを有することを特徴とする畳の敷設方法。
【請求項３】
前記畳が、畳表を畳床の全面に接着し且つ縁帯の無い縁無し畳である、請求項１又は請求項２に記載の畳の敷設方法。
【請求項４】
前記畳が、幅に沿って縫い込んだ縁帯を備えた畳である、請求項１又は請求項２に記載の畳の敷設方法。
【請求項５】
少なくとも前記畳の切断した縁に沿って縁帯材料を配置する工程を更に有する、請求項１〜４のいずれか一項に記載の畳の敷設方法。
【発明の詳細な説明】
【発明の属する技術分野】
【０００１】
　この発明は畳の敷設方法に関する。
【背景技術】
【０００２】
　和室の床面を構成する畳は、これを敷き込む際に、伝統的に次の手法が採用されてきた。
　第１工程：畳職人が現場に出向き、部屋の大きさの採寸をする；
　第２工程：例えば６畳間であれば、採寸したデータに基づいて６枚の畳の各々の大きさを決定して、これに応じた畳を製造する；
　第３工程：出来上がった畳を現場に持ち込み、各畳を所定位置に敷き込む。
【０００３】
　以上の第１〜第３の工程によって、事前に採寸した部屋への畳の敷設が完了することになるが、例えば第１工程で行った採寸に誤りがあって予定通り畳を敷き込むことができないときには、畳の手直しが必要となるため、この第３工程においても畳職人が現場に行かなければならないという問題があった。
【０００４】
　このような問題に関連して、特許文献１は、畳の手直しに熟練した技術を必要としない工業化畳を開示している。すなわち、この特許文献１は、伝統的な畳が備えている縁帯を別部品として畳から分離しておき、工業化畳を敷き込んだ後に、縁帯材料を後付けで設置することを教示している。
【特許文献１】特開平７−１８９４６３号公報
【発明の開示】
【発明が解決しようとする課題】
【０００５】
　上述した特許文献１に開示の発明によれば、第３工程でわざわざ畳職人が現場に出向く必要性を無くすることができる、という点で施工管理上の利点がある。
　しかし、この特許文献１に開示の発明は、上述した第３工程の簡略化を目的とするものであり、その実際上の効果も限定的なものである。
【０００６】
　そこで、本発明の目的は、上述した第１〜３工程からなる一連の伝統的な敷設方法に取って代わることのできる全く新規な手法に基づく畳の敷設方法を提供することにある。
　本発明の更なる目的は、一連の作業工程を全体的に効率化することのできる畳の敷設方法を提供することにある。
　本発明の他の目的は、一連の作業工程に熟練した技術を必要としない畳の敷設方法を提供することにある。
【課題を解決するための手段】
【０００７】
　かかる技術的課題は、本発明の一つの局面によれば、部屋の大きさから割り出した畳の大きさよりも若干大きめに規格化した畳を準備する工程と、
　該規格化した畳を現場に持ち込む工程と、
　持ち込んだ畳を順次敷き込む工程と、
　畳を敷設しようとしたときに、この畳を敷設しようとする領域に入り切らない畳を切断して該領域に適合する大きさに調整する工程と、
　この大きさ調整した畳を敷き込む工程とを有することを特徴とする畳の敷設方法によって達成される。
【０００８】
　本発明の他の局面によれば、上述した課題は、部屋の大きさから割り出した畳の大きさよりも若干大きめに規格化した畳を準備する工程と、
　該規格化した畳を現場に持ち込む工程と、
　畳を敷設する部屋を採寸する工程と、
　採寸したデータに基づき、現場に敷設する複数枚の畳のうち、その一部の畳を切断して大きさを調整することにより現場に敷設する全ての畳の敷設面積を前記採寸したデータに適合させる工程とを有することを特徴とする畳の敷設方法によって達成される。
【発明を実施するための最良の形態】
【０００９】
　説明の都合上、本発明に従う畳の敷設方法の実施に使用する畳について図１を参照して説明する。幅に沿って縫い込まれた縁帯を備えた伝統的な畳とは異なり、図１に示す畳は、この縁帯の無い縁無し畳を８畳間に敷設した例を示す。縁無し畳１は、図２に示すように、天然藺草又は合成樹脂製品からなる畳表２と、発泡体を主体とした畳床３とを有し、この畳表２と畳床３とは接着剤４で一体化されている。
【００１０】
　この縁無し畳１は、最も好ましくは、加熱プレス加工した天然藺草の畳表２を用いるのがよい。プレス加工を施すことによって、折りしわ、織成ムラが消失して品質が安定するという利点がある。特に、天然藺草を用いた畳表の場合には、加熱プレスの効果によって天然藺草の内部から葉緑素が浸出するので、これにより染色時の色ムラを低減することができるという利点がある。畳表２は、畳床３の表面の全領域に亘って塗布した接着剤４によって畳床３に固定されており、これに使用する接着剤４としては、ホルムアルデヒドなどの有害物質を発生せず、また柔軟性を備え且つ接着力が強いという理由からホットメルト接着剤を採用するのが好ましく、最も好ましくは、耐熱性のあるホットメルト剤であるのがよい。加熱プレスした藺草を用いることによって、縁無し畳１の平坦性を向上することができるという利点がある。
【００１１】
　縁無し畳１は、畳表２の縁が全周に亘って面取りされ、この面取り部分５を含む畳１の框及び幅の周面は、畳表２の面取り部分５を含めて塗布した保護膜６が形成されている（図２）。この保護膜６は、畳表及び畳床にある程度染み込んで固化する例えば天然ゴム系やラテックス系の樹脂であるのがよい。縁無し畳１は、畳表２の縁を框及び幅の全周に亘って面取りすることによって、畳１を敷設したときの見栄えを向上することができる。また、縁無し畳１の框及び幅の全ての周面を保護膜６で被覆することよって、畳表２の「ほつれ」や「毛羽立ち」或いは「剥離」を防止することができる。
【００１２】
　図２の縁無し畳１の作り方を説明すると、以下のとおりである。
　（１）畳床３の表面の全域に接着剤４を塗布する；
　（２）畳床３の上に畳表２を接着する；
　（３）一体化した畳表２と畳床３を所定の大きさに切断する；
　（４）畳表２の縁を全周に亘って面取りする；
　（５）框及び幅の全ての周面にラテックス系樹脂などを塗布して保護膜６を形成する。
【００１３】
　以上の製造方法の説明から理解できるとおり、畳職人でなくとも、上述した図２の縁無し畳１を作ることができ、また、工程数も従来に比べて少ないことから製造コストを低減することができ、安価に縁無し畳１を提供することができる。
【００１４】
　縁無し畳１を用いて本発明に従う敷設方法を実施するには、予め、規格化した大きさの縁無し畳１を製造する。関東間を例に畳の一般的な大きさを説明すると、１畳物の場合は平均的に８８０ｍｍ×１７６０ｍｍであり、半畳物であれば、８８０ｍｍ×８８０ｍｍである。縁無し畳１を規格化するときに、この平均的な畳の大きさを考慮に入れて、これよりも若干大きな寸法を設定すればよい。規格化した縁無し畳１の好ましい大きさを例示すれば、一畳物で９００ｍｍ×１８００ｍｍであり、半畳物で９００ｍｍ×９００ｍｍである。
【００１５】
　このような規格化した縁無し畳１は、工場で、見込み生産的に大量に製造して、これをストックしておいてもよく、或いは、受注した段階で必要枚数の規格畳１を製造してもよい。後者の場合、畳表２のロット管理が容易になるという利点がある。規格畳１の厚さ寸法は、特に前者の場合には、比較的薄く作っておくのがよい。具体的には、１０〜３０ｍｍ程度の厚さにするのがよい。縁無し畳１の敷設の際に、その厚さ寸法が不足するときには、不足する厚さの厚さ調整ボード（図示せず）を事前に敷き込み、この厚さ調整ボードの上に、縁無し畳１を敷き込むようにすればよい。
【００１６】
　前者および後者のいずれも現場での採寸作業は基本的には行う必要がないが、例えば特殊な部屋に敷設する場合など、必要に応じて、受注した部屋の概略的な採寸を行って、この採寸したデータに基づいて畳の枚数および畳の大きさを設定するようにしてもよい。この場合、一畳物の必要枚数及び半畳物の必要枚数を計算し、一畳物はその必要枚数を全て同じ大きさに設定して製造すればよく、同じように、半畳物はその必要枚数を全て同じ大きさに設定して製造すればよい。勿論、一畳物及び半畳物の大きさは、採寸したデータから割り出した要求寸法よりも若干大き目の寸法に設定して規格化する。このように、事前に採寸するにしても、従来とは異なり、部屋のだいたいの大きさを知ることを主眼とするものであり、また、この採寸したデータに基づいて畳１を製造するにしても、採寸データを各畳の大きさに割り振る作業を排除して、大きさの共通化した畳を製造すればよいことから、この工程で熟練した技術が必要になることはない。
【００１７】
　受注した部屋が出来上がったら、製造した畳１を現場に搬入する。この後の作業工程を図３を参照して説明する。図３は８畳間を例示するものである。搬入した縁無し畳１の厚さが、これから敷設しようとする部屋の要求厚さと一致しないときは、厚さ調整ボード（図示せず）を事前に８畳間に敷き込む。
【００１８】
　次に、例えば、先ず、搬入した畳１のうち４枚を部屋Ｒの一隅から敷き込む。次に、残る領域Ａ１〜Ａ４に関して、領域Ａ１については、畳１の長さ寸法を調節した後にこれを敷く。領域Ａ２については、畳１の幅寸法を調整した後にこれを敷く。領域Ａ３については、畳１の幅寸法を調整した後にこれを敷く。領域Ａ４については、畳１の幅及び長さ寸法を調整した後にこれを敷く。
【００１９】
　他の敷設方法として、搬入した畳１を部屋Ｒに敷き込む前に、部屋Ｒを採寸して、基本的には規格畳１をそのまま使用することを前提として、規格畳１を切断しなければ入り切らない領域Ａ１〜Ａ４の畳について、切断処理を行った後に、畳１を敷設するようにしてもよい。必要に応じて、領域Ａ１〜Ａ４に亘って部屋ＲのＬ字状の縁部１０に、前述した特開平７−１８９４６３号公報に開示のような縁帯材料を後付けしてもよい。この後付けの縁帯材料を採用すれば、畳１を全て敷き込んだ後に、見た目で全く隙間の無い状態を容易に形成することができる。必要であれば、この縁帯材料を、部屋Ｒの縁に沿ってその全周にわたって配置するようにしてもよい。
【００２０】
　図５及び図６は、後付けの縁帯材料の具体例を例示するものである。図５の縁帯材料１２は、鴨居又は寄せ木１４と、これに隣接する畳の端面１６との間に設置する細長いベース部材１８と、縁無し畳１の表面側に露出してこの畳１の縁部を覆う縁帯部材２０とからなり、この縁帯部材２０の突条２２を、ベース部材１８のスリット２３に嵌入することにより、縁帯部材２０がベース部材１８に固定されるようになっている。図６に示す縁帯材料２４は断面Ｌ字状の長尺部材からなり、この一片２４ａを鴨居又は寄せ木１４と、これに隣接する畳の端面１６との間に挿入することにより、他方の片２４ｂが、畳１の縁部分の表面を覆うようになっている。
【００２１】
　畳１の長さ寸法及び／又は幅寸法の調整は、現場で、畳１を適当に切断することにより行う。縁無し畳１は、畳床３の全面に畳表２が接着されているため、畳１の任意の部分を自在に切断することができる。畳１を切断することにより新たに露出した切断面は、図４に示すように、畳表２の縁を面取りした後に、ラテックス系樹脂などの適当な接着剤を塗布することにより保護膜６で被覆すればよい。
【００２２】
　このような一連の作業は、畳職人でなくとも十分に対応可能である。以上の説明から理解できるように、縁無し畳１を採用して、これを本発明に従う方法によって畳の敷き込み作業を行った場合、特別な技術が完全に不要になる。図３では８畳間を例に説明したが例えば大広間のように数多くの畳を敷く場合には、本発明の教示に従えば、搬入した畳のうち、大部分を切断することなくそのまま敷き込むことができるため、換言すれば、寸法合わせのために切断しなければならない畳の枚数の比率が低下するため、畳の敷設に関連した全ての工程で極めて顕著な実際上の効果が得られることは、当業者であれば容易に理解できるであろう。
【００２３】
　以上、畳床３の全面に畳表２を接着した縁無し畳１を例に本発明の一例を説明したが、本発明の適用はこれに限定されるものではなく、縁帯を備えた伝統的な畳に対しても適用することができる。すなわち、伝統的な畳は、畳の幅に沿って縫い付けられた縁帯を備えているが、この伝統的な畳を用いて本発明に従う敷設方法を適用するには、例えば次のようにすればよい。
【００２４】
　先ず、伝統的な畳の大きさ規格化するときに、この大きさの設定は、上述した縁無し畳１と同様である。すなわち、関東間であれば、一畳物で９００ｍｍ×１８００ｍｍであり、半畳物で９００ｍｍ×９００ｍｍというように、平均的な畳の大きさよりも若干大きな寸法を設定して規格化すればよい。この規格化した畳は、工場で、見込み生産的に大量に製造して、これをストックしておいてもよく。また、受注した段階で、要求枚数の畳を製造するようにしてもよく、これによればロット管理が容易になるという利点がある。
【００２５】
　また、受注した段階で、必要に応じて、現場の部屋の概略的な採寸を行って、この採寸したデータに基づいて畳の枚数および畳の大きさを設定するようにしてもよい。この場合、上述した縁無し畳１と同様に、一畳物の必要枚数及び半畳物の必要枚数を計算し、一畳物はその必要枚数を全て同じ大きさに設定して製造すればよく、同じように、半畳物はその必要枚数を全て同じ大きさに設定して製造すればよく、一畳物及び半畳物の大きさは、採寸したデータから割り出した要求寸法よりも若干大き目の寸法に設定すればよい。この規格畳の厚さ寸法は、１０〜３０ｍｍ程度というように、比較的薄く作っておくのがよい。畳の敷き込み作業の際に、その厚さ寸法が不足するときには、不足する厚さの厚さ調整ボード（図示せず）を事前に敷き込み、この厚さ調整ボードの上に、規格畳を敷設すればよい。
【００２６】
　部屋が出来上がったら、規格畳を現場に搬入する。この後の作業工程は、先に縁無し畳１で図３を参照して説明したのと同様に、先ず、搬入した規格畳のうち４枚を部屋Ｒの一隅から敷き込む。次に、残る領域Ａ１〜Ａ４に関して、領域Ａ１については、規格畳の長さ寸法を調節した後にこれを敷く。領域Ａ２については、規格畳の幅寸法を調整した後にこれを敷く。領域Ａ３については、規格畳の幅寸法を調整した後にこれを敷く。領域Ａ４については、規格畳の幅及び長さ寸法を調整した後にこれを敷き、最後に、領域Ａ１〜Ａ４に亘って部屋ＲのＬ字状の縁部１０に、図５の縁帯材料１２或いは図６に示す縁帯材料２４のような後付けの縁帯材料を設置する。必要であれば、この縁帯材料１２、２４を、部屋Ｒの縁に沿ってその全周にわたって配置するようにしてもよい。
【００２７】
　他の敷設方法として、搬入した畳１を部屋Ｒに敷き込む前に、部屋Ｒを採寸して、基本的には規格畳１をそのまま使用することを前提として、規格畳１を切断しなければ入り切らない領域Ａ１〜Ａ４の畳について、切断処理を行った後に、畳１を敷設し、最後に領域Ａ１〜Ａ４に亘って部屋ＲのＬ字状の縁部１０に、図５の縁帯材料１２或いは図６に示す縁帯材料２４のような後付けの縁帯材料を設置するようにしてもよい。
【００２８】
　規格畳の長さ寸法及び／又は幅寸法の調整は、現場で、規格畳を適当に切断することにより行うが、切断箇所が、極力、部屋Ｒの周縁部を構成するように考えて、その切断箇所を設定するのがよい。規格畳の幅寸法を調整するには、先ず、これから切断しようとする畳に切断ラインを書き込み、この切断ラインに沿ってその内側に針付きテープを刺し込んだ後に、切断ラインに沿って規格畳を切断する。針付きテープによって、畳表の長手方向のずれを防止することができる。この針付きテープと共に又はこれに代えて、切断ラインに沿ってその内側を瞬間接着剤を塗布して畳表を切断ラインに沿って畳床に固着させるようにしてもよい。
【００２９】
　規格畳の長さ寸法を調整するには、先ず、これから切断しようとする畳に切断ラインを書き込み、この切断ラインに沿ってその内側を瞬間接着剤を塗布して、切断時の畳表のバラケを防止するようにし、次いで、針付きテープを切断ラインの内側の畳表に刺し込む。その後に、切断ラインに沿って規格畳を切断する。これにより、使用後の要請に応じて、畳表の張り替えを何らの支障無しに行う事が出来る。仮に畳表の張り替えを無視するのであれば、切断ラインに沿ってその内側に接着剤を塗布し、この接着剤で畳表を畳床に固着した後に切断ラインに沿って切断すれば良い。
【００３０】
　切断した規格畳の切断縁は、切断処理した畳を部屋Ｒに敷設した後に、前述した後付けの縁帯材料１２、２４（図５、図６）によって覆い隠されるため、伝統的な畳の外観を損なうことはない。以上のような敷設工法の実施は、熟練した技術を持つ畳職人でなくとも十分に対応可能であることは言うまでもない。
【図面の簡単な説明】
【００３１】
【図１】８畳間における縁無し畳の敷設例を示す概略図
【図２】縁無し畳の縁を拡大して示す部分断面図
【図３】規格化した縁無し畳を８畳間に敷設する場合のその敷設方法の一例を示す図
【図４】縁無し畳の一部を切断した後の処理を説明するための断面図
【図５】後付けの縁帯材料の具体例を例示するための断面図
【図６】後付けの縁帯材料の他の具体例を例示するための断面図
【符号の説明】
【００３２】
　　　１　　縁無し畳
　　　２　　畳表
　　　３　　畳床
　１２、２４　縁帯材料
【図１】
2004003363.tif 000003
【図２】
2004003363.tif 000004
【図３】
2004003363.tif 000005
【図４】
2004003363.tif 000006
【図５】
2004003363.tif 000007
【図６】
2004003363.tif 000008